【事件の表示】
　特願２００３−３７０４１２「冷蔵庫」拒絶査定不服審判事件〔平成１７年　５月２６日出願公開、特開２００５−１３４０３０〕について、次のとおり審決する。
【結　論】
　本件審判の請求は、成り立たない。
【理　由】
１．手続の経緯
　本願は、平成１５年１０月３０日の出願であって、平成２１年４月２１日付けで拒絶査定がなされ（発送：平成２１年４月２８日）、これに対し、同年６月１１日に拒絶査定不服審判が請求されるとともに、拒絶査定不服審判の請求と同日付けで明細書及び特許請求の範囲について手続補正がなされたものである。
　　　
２．平成２１年６月１１日付けの手続補正についての補正却下の決定
［補正却下の決定の結論］
　　平成２１年６月１１日付けの手続補正を却下する。
　　　
［理由］
（１）補正の内容
　平成２１年６月１１日付けの手続補正（以下「本件補正」という。）は、特許請求の範囲の請求項１を、
「圧縮機と、凝縮器と、減圧機構と、蒸発器とを順次接続してなる冷凍サイクルに可燃性冷媒を封入し、前記蒸発器を除霜する除霜手段を有する冷蔵庫において、前記除霜手段は、前記蒸発器の下方に配した除霜ヒータであり、前記除霜ヒータは、ガラス管と、前記ガラス管内部に設置した金属抵抗体からなるヒータ線と、リード線挿入孔が形成され前記ガラス管の両端開口部を覆う封止部材と、前記リード線挿入孔を通り前記ヒータ線の端部に接続されるリード線とを備え、前記封止部材の少なくとも１つは、前記ガラス管の開口部より下部に前記ガラス管内部にたまった水を落差により下部に導く孔と外部へ流出させる逆止弁を設け、前記逆止弁の弁は前記孔に筒を介して封止部材に取り付けられ、ゴム製のリベット形状とし前記筒の固定穴に保持したことを特徴とする冷蔵庫。」と補正することを含むものである。
　
（２）補正の適否
　ここで、本件補正が、平成１８年法律第５５号改正附則第３条第１項によりなお従前の例によるとされる同法による改正前の特許法第１７条の２第４項の規定に適合するかについて、以下検討する。
　　　
ア　補正後の請求項１に係る発明は、補正前の請求項１に係る発明を特定する事項である「温度上昇により膨張した前記ガラス管の内部空間の気体（・・・）を外部に流出させる」との事項を欠くものとなっている。
　したがって、上記補正は、特許請求の範囲の減縮を目的とするものとはいえない。
イ　また、上記補正は、拒絶理由通知に係る拒絶の理由に示された事項についてするものでないため、明りょうでない記載の釈明を目的とするものとはいえず、誤記の訂正を目的とするものともいえない。さらに、請求項の削除を目的とするものでもない。
ウ　このように、上記補正は、特許法第１７条の２第４項各号に規定するいずれを目的とするものともいえない。
　
（３）むすび
　　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
３．本願発明について
（１）本願発明
　上記のとおり、本件補正は、却下されたので、本願の請求項１に係る発明（以下「本願発明」という。）は、平成２１年２月１０日付けの手続補正により補正された明細書及び図面の記載からみて、その請求項１に記載された事項により特定される次のとおりである。
　　
「圧縮機と、凝縮器と、減圧機構と、蒸発器とを順次接続してなる冷凍サイクルに可燃性冷媒を封入し、前記蒸発器を除霜する除霜手段を有する冷蔵庫において、前記除霜手段は、前記蒸発器の下方に配した除霜ヒータであり、前記除霜ヒータは、ガラス管と、前記ガラス管内部に設置した金属抵抗体からなるヒータ線と、リード線挿入孔が形成され前記ガラス管の両端開口部を覆う封止部材と、前記リード線挿入孔を通り前記ヒータ線の端部に接続されるリード線とを備え、前記封止部材の少なくとも１つは、前記ガラス管の開口部より下部に温度上昇により膨張した前記ガラス管の内部空間の気体及び前記ガラス管内部にたまった水を外部へ流出させる逆止弁を設けたことを特徴とする冷蔵庫。」
　　
（２）引用例
　原査定の拒絶の理由に引用された特開２００３−９０６７２号公報（以下「引用例１」という。）には、図面とともに次のように記載されている。　　　　　
ａ「【請求項１０】ガラス管両端開口部を覆う栓に成形されたリード線挿入穴と、その挿入穴を通るリード線外径との差により形成されるすきま部分の任意位置での断面積を７．１ミリ平方メートル以下とした除霜ヒーター。
　・・・
　【請求項１３】抵抗線をコイル状に形成したヒーター線部分は、ガラス管端面より少なくとも２０ｍｍ以上離し、ヒータ線とリード線の接続部が移動するのを防止する位置決め板を少なくとも、２０メッシュ以上の金網構造としたことを特徴とする請求項１０又は請求項１１に記載の除霜ヒーター。」（【特許請求の範囲】【請求項１０】、【請求項１３】）
　　
ｂ「【発明の属する技術分野】本発明は冷蔵庫等の、可燃性冷媒を封入した冷凍サイクルの冷却器に付着・堆積した霜を除霜する除霜ヒーター及びこのヒーターを用いた冷蔵庫に関するものである。」（段落【０００１】）
　　
ｃ「本発明は上記課題に鑑み、可燃性冷媒が除霜ヒーターの設置雰囲気に漏洩した環境下で除霜が行われた場合においても安全性の高い除霜ヒーターを提供することを目的とする。」（段落【０００８】）
　
ｄ「次に請求項１３に記載の発明は、請求項１０又は請求項１１に記載の発明において、抵抗線をコイル状に形成したヒーター線部分は、ガラス管端面より少なくとも２０ｍｍ以上離し、ヒーター線とリード線の接続部が移動するのを防止する位置決め板を少なくとも、２０メッシュ以上の金網構造としたものであるから、可燃性冷媒がヒーター線によって発火しても、火炎がその金網構造により阻止され、火炎伝播しない。また、ガラス管内に侵入した水分が蒸気となって排気される際の排気抵抗は通気孔を設ける場合よりも小さく、効率よく排気できる。」（段落【００２１】）
　　　
ｅ「図１、図２において、５１は蒸発器１０に付着した霜を加温により融解し除去する除霜ヒーターであり、５２は抵抗線をコイル状に形成したヒーター線であり、ヒーター線５２の両端近傍はコイル状ではなくヒーター線を所定の長さで折り返して撚った状態の接続端５２ａを有する。５３はヒーター線５２を覆う第１のガラス管であり、外径１０．５ｍｍ、内径８．５ｍｍの円筒形状を成し、両端を開口している。
　・・・（中略）・・・
　５５はヒーター線５２に接続されるリード線であり、５６はヒーター線５２とリード線５５を連結する導電性の連結管である。」（段落【００３７】〜【００３９】）
　
ｆ「５８は第１のガラス管５３と第２のガラス管５４の開口端を覆う、シリコンゴム製の栓である。栓５８にはリード線５５が挿入されるリード線挿入孔５８ａが設けられており、リード線５５の栓５８への挿入はリード線５５の端部が連結管５６でかしめられる以前に行われている方が作業性はよい。５８ｂは位置決め板５５と栓５８とで形成される隙間である。」（段落【００４２】）
　
ｇ「図３は本発明の実施の形態による除霜ヒーターを用いた冷蔵庫の冷凍システムの略図であり、図３において、６０は圧縮機、６１は凝縮器、６２は減圧機構であり、圧縮機６０と凝縮器６１と減圧機構６２と蒸発器１０を機能的に接続された冷凍サイクルの内部には可燃性冷媒が封入されている。」（段落【００４９】）
　
ｈ「このとき、第１のガラス管５３の内部空間は温度上昇により気体が膨張し、位置決め板５７の通気孔５７ａを経て、リード線５５と栓５８のリード線挿入孔５８ａとの隙間から外部へ流出する。」（段落【００５２】）
　
ｉ「（実施の形態２）図８は、本発明の実施の形態２による除霜ヒーターの要部断面図である。なお、実施の形態１と同一構成については同一符号を付して詳細な説明を省略する。・・・　
　１０３は円筒状突起１０２を長手方向に貫き、栓本体１０１を抜ける通路である。１０４は第１のガラス管５３と第２のガラス管５４と栓１００とで形成される空間である。」（段落【００７１】〜【００７３】）
　　　
ｊ「このとき、第１のガラス管５３と第２のガラス管５４と栓１００とで形成された空間１０４では、温度上昇により気体が膨張し通路１０３から外部へ流出する。
　そして、この状態でヒーター線５２への通電を停止し再び冷却を開始すると、空間１０４は温度低下により減圧され、水分を含んだ外気が通路１０３から空間１０４内へ流入する。
　ここで再びヒーター線５２に通電しヒーター線５２を発熱させると、空間１０４内は温度上昇により水分が蒸発し水蒸気により空間１０４内の圧力が上昇し始める。しかしながら、水蒸気の一部は通路１０３から外部へ流出するので、空間１０４内の圧力上昇は緩和される。」（段落【００７６】〜【００７８】）
　　
ｋ「（実施の形態３）図１４は、本発明の実施の形態３による除霜ヒーターの要部断面図であり、図１５は、同実施の形態の除霜ヒーターの要部斜視図である。なお、実施の形態２と同一構成については同一符号を付して詳細な説明を省略する。
　図１４、図１５において、７００は実施の形態２の栓１００と同じ機能を果たす栓であり、栓本体７０１と栓本体７０１に設けられた円筒状突起７０２から成る。
　７０３は円筒状突起７０２を長手方向に貫き、栓本体７０１を抜ける通路である。１０４は第１のガラス管５３と第２のガラス管５４と栓７００とで形成される空間である。
　７０５は第２のガラス管５４の鉛直上方に位置し、栓７００の栓本体７０１に保持された傘であり、蒸発器から落下してくる水滴が第２のガラス管５４の表面に直接当らないようにしている。」（【００９７】〜【０１００】）
　　
　上記事項及び図面の記載から、引用例１の実施の形態２に着目して、本願発明に倣って整理すると、引用例１には、
「圧縮機６０と、凝縮器６１と、減圧機構６２と、蒸発器１０とを順次接続してなる冷凍サイクルに可燃性冷媒を封入し、前記蒸発器１０を除霜する除霜手段を有する冷蔵庫において、前記除霜手段は、前記蒸発器１０の下方に配した除霜ヒーター５１であり、前記除霜ヒーター５１は、ガラス管５３、５４と、前記ガラス管５３、５４内部に設置した抵抗線からなるヒーター線５２と、リード線挿入孔が形成され前記ガラス管５３、５４の両端開口部を覆う栓１００と、前記リード線挿入孔を通り前記ヒーター線５２の端部に接続されるリード線５５とを備え、前記栓１００の少なくとも１つは、前記ガラス管５３の開口部の通気孔から、温度上昇により膨張したガラス管５３の内部空間の気体を外部に流出させるとともに、ガラス管５４内に侵入した水分を水蒸気として外部へ流出させる通路１０３を開口部より下部に設けたことを特徴とする冷蔵庫。」（以下「引用発明１」という。）が記載されている。
　　
　同じく、原査定の拒絶の理由に引用された特開平８−２００９２９号公報（以下「引用例２」という。）には、図面とともに次のように記載されている。
　　　
ａ「【産業上の利用分野】本発明は、冷蔵庫及び冷凍庫等の冷却器の除霜装置に関するものである。」（段落【０００１】）
　　
ｂ「【発明が解決しようとする課題】しかしながら、上記のような構成では、除霜時に、ガラス管ヒータ１の発熱によりガラス管３内の圧力は上昇し、ガラス管３の内外の圧力が均衡するように、リード線４と絶縁材製のキャップ５との隙間から、ガラス管３内の空気の一部がガラス管３の外に出ていき、除霜が終了すると、ヒータ線２への通電は停止されガラス管３内温度の低下とともにガラス管３内圧力が低下し、それに伴い除霜時にリード線４と絶縁キャップ５の隙間に付着した除霜水の一部がガラス管３の内側と外側の圧力差でガラス管３内に侵入し、ヒータ線２を腐食、断線させる恐れがあった。
　本発明は上記従来の課題を解決するもので、除霜終了時に除霜水がガラス管内へ侵入してヒータ線を腐食、断線するのを防ぐことを目的とする。」（段落【０００９】、【００１０】）
ｃ「また、ガラス管と、このガラス管内に配置されたヒータ線と、前記ガラス管の両端部に装着された絶縁材製のキャップと、このキャップ内に挿入されて前記ヒータ線の端部に接続されたリード線と、前記キャップと前記リード線との隙間を封止する封止ゴムとからなり、前記キャップの下部に前記キャップの内外の空間を連通する排出口を設け、この排出口を開閉自在に前記排出口の外側に設けられ前記排出口を閉じる方向に付勢力を与えられるへら状の薄肉ゴム弾性体からなる排出弁を形成したのである。」（段落【００１２】）
　　
ｄ「図において、２０はガラス管ヒータであり、放射熱及び対流伝熱を発生する鉄クロム等のヒータ線１１と、ヒータ線１１を管内に保持絶縁するガラス管１２と、ヒータ線１１の端部に接続されたリード線１３と、ガラス管１２の両端部に装着されガラス管１２とリード線１３とを保持固定する絶縁材製のキャップ２１よりなる。
　キャップ２１の下部にキャップ２１の内外の空間を連通する排出口２２を設け、この排出口２２を開閉自在に排出口２２の外側に設けられ排出口２２を閉じる方向に付勢力を与えられるへら状の薄肉ゴム弾性体からなる排出弁２１ａを形成している。
　またキャップ２１の下部にはリード線１３の貫通口２１ｂがあり、貫通口２１ｂのリード線１３出口部には凹部２１ｃを設け凹部２１ｃにはシリコンゴム２１ｄを充填させリード線１３との隙間を完全封止する。」（段落【００３１】〜【００３３】）
　　　
ｅ「以上のように構成された冷却器の除霜装置について、以下にその動作を説明する。・・・
　除霜時、ガラス管ヒータ２０はヒータ線１１の発熱により放射熱及び対流伝熱を発生し冷却器１５の除霜を行う。
　この時、ガラス管ヒータ２０の発熱によりガラス管１２内の圧力が上昇し、キャップ２１の下部の排出弁２１ａは付勢力に抗して開いて開状態となりヒータ線１１の発熱により膨張したガラス管１２内の空気を排出し、ガラス管１２内の内圧を調整する。
　除霜終了時キャップ２１の下部の排出弁２１ａはガラス管１２内の圧力低下に伴い閉状態となり、キャップ２１表面に付着した除霜水のガラス管１２内への侵入を防ぐ。またキャップ２１下面部のリード線１３との隙間についてはシリコンゴム２１ｄによる完全封止により除霜時のキャップ２１及びリード線１３に付着した除霜水はガラス管１２内に侵入することはない。」（段落【００３４】〜【００３７】）
　　　
ｆ「また、キャップ２１の下部に排出口２２を設け、この排出口２２を開閉自在に排出口２２の外側に排出弁２１ａを形成したので、万一ガラス管１２又はキャップ２１内に除霜水が侵入しても、除霜時のガラス管１２内の圧力上昇による排出弁２１ａの開動作で排出口２２から暖められた空気とともに除霜水が排出される。
　以上のように、本実施例の冷却器の除霜装置は、キャップ２１とリード線１３との隙間をシリコンゴム２１ｄで封止するとともに、キャップ２１の下部にキャップ２１の内外の空間を連通する排出口２２を設け、この排出口２２を開閉自在に排出口２２の外側に設けられ排出口２２を閉じる方向に付勢力を与えられるへら状の薄肉ゴム弾性体からなる排出弁２１ａを形成したので、除霜時は、排出弁２１ａが開いてガラス管１２内部の圧力上昇を緩和し、除霜終了後は排出弁２１ａが閉じて排出弁２１ａからの除霜水の侵入を防止でき、また、キャップ２１とリード線１３との隙間をシリコンゴム２１ｄで封止して、除霜終了時にキャップ２１又はリード線１３に付着した除霜水がキャップ２１とリード線１３の隙間から侵入するのを防止できる。また、キャップ２１の下部に排出口２２を設け、この排出口２２を開閉自在に排出口２２の外側に排出弁２１ａを形成したので、万一ガラス管１２又はキャップ２１内に除霜水が侵入しても、除霜時のガラス管１２内の圧力上昇による排出弁２１ａの開動作で排出口２２から暖められた空気とともに除霜水が排出される。」（段落【００３８】〜【００３９】）
　
ｇ　そして、上記摘記事項ｆ及び図５から、キャップ２１の下部に設けた排出口２２は、開口部より上部にあるとはいえず、開口部の下部に設けたものといえる。
　　
　上記事項及び図面の記載からみて、引用例２には、
「冷却器を除霜する除霜手段を有する冷蔵庫において、前記除霜手段は、ガラス管ヒータ２０であり、前記ガラス管ヒータ２０は、ガラス管１２と、前記ガラス管１２内部に設置した金属抵抗体からなるヒータ線１１と、リード線１３の貫通口２１ｂが形成され前記ガラス管１２の両端開口部を覆うキャップ２１と、前記リード線１３の貫通口２１ｂを通り前記ヒータ線１１の端部に接続されるリード線１３とを備え、前記キャップ２１の少なくとも１つは、前記ガラス管１２の開口部より下部に温度上昇により膨張した前記ガラス管１２の内部空間の気体及び前記ガラス管１２内部にたまった水（除霜水）を外部へ排出させる排出弁２１ａを設けた冷蔵庫。」（以下「引用発明２」という。）が記載されている。
　　
（３）対比
　そこで、本願発明と引用発明１とを対比すると、
引用発明１における「抵抗線」は、その機能に照らし、本願発明における「金属抵抗体」に、同様に、「除霜ヒーター５１」は「除霜ヒータ」に、「栓１００」は「封止部材」に、それぞれ相当する。
　　
　したがって、上記両者は、
「圧縮機と、凝縮器と、減圧機構と、蒸発器とを順次接続してなる冷凍サイクルに可燃性冷媒を封入し、前記蒸発器を除霜する除霜手段を有する冷蔵庫において、前記除霜手段は、前記蒸発器の下方に配した除霜ヒータであり、前記除霜ヒータは、ガラス管と、前記ガラス管内部に設置した金属抵抗体からなるヒータ線と、リード線挿入孔が形成され前記ガラス管の両端開口部を覆う封止部材と、前記リード線挿入孔を通り前記ヒータ線の端部に接続されるリード線とを備え、前記封止部材の少なくとも１つは、温度上昇により膨張した前記ガラス管の内部空間の気体を外部へ流出させる冷蔵庫。」
　である点で一致し、次の点で相違している。
　　
［相違点］
　本願発明では、封止部材の少なくとも１つは、前記ガラス管の開口部より下部に温度上昇により膨張した前記ガラス管の内部空間の気体及び前記ガラス管内部にたまった水を外部へ流出させる逆止弁を設けたのに対し、引用文献１に記載された発明では、当該構成を具備しない点。
　　　
（４）判断
　そこで、上記［相違点］について以下検討する。
　引用発明２における「冷却器」は、本願発明における「蒸発器」に、「ガラス管ヒータ２０」は「除霜ヒータ」に、「リード線１３の貫通口２１ｂ」は「リード線挿入孔」に、「キャップ２１」は「封止部材」に、それぞれ相当する。また、引用発明２の「排出」は、その対象として気体と水を含むものであるから、本願発明の「流出」に相当する。
　　　
　また、引用発明２おける「排出弁２１ａ」は、除霜時、ガラス管ヒータ２０の発熱によりガラス管１２内の圧力が上昇し、自体の付勢力に抗して開いて開状態となりガラス管１２内の空気を排出すると共に、除霜終了時にはガラス管１２内の圧力低下に伴い閉状態となり除霜水のガラス管１２内への侵入を防ぐ弁であるから、該「排出弁２１ａ」は、「逆止弁」である。
　　　
　したがって、引用発明２は、「蒸発器を除霜する除霜手段を有する冷蔵庫において、前記除霜手段は、除霜ヒータであり、前記除霜ヒータは、ガラス管と、前記ガラス管内部に設置した金属抵抗体からなるヒータ線と、リード線挿入孔が形成され前記ガラス管の両端開口部を覆う封止部材と、前記リード線挿入孔を通り前記ヒータ線の端部に接続されるリード線とを備え、前記封止部材の少なくとも１つは、前記ガラス管の開口部より下部に温度上昇により膨張した前記ガラス管の内部空間の気体及び前記ガラス管内部にたまった水を外部へ流出させる逆止弁を設けた冷蔵庫。」といえる。
　
　即ち、引用発明２は、「冷蔵庫の除霜ヒータにおいて、封止部材の少なくとも１つは、ガラス管の開口部より下部に温度上昇により膨張した前記ガラス管の内部空間の気体及び前記ガラス管内部にたまった水を外部へ流出させる逆止弁を設けた」ものである。
　　
　そして、冷蔵庫の除霜ヒータにおいて、該ヒータの発熱によりガラス管内の空気が膨張して圧力が上昇し、除霜ヒータが破損する等の障害を受けるのを防止するために該空気を排気することも、またガラス管内に水（除霜水）が侵入しヒータ線の断線等の障害が発生するような場合、これを防止するために水を排水するようにすることも、従来良く知られた事項（例えば、特開平１１−５１５４８号公報、特開２０００−３０４４１６号公報参照。）である。
　
　また、水をガラス管から排出するに際して、開口部より下部に導くようにする程度のことは、当業者であれば、容易に想到することである。
　　
　さらに、引用発明１においても、侵入した水分を流出させること自体は構成として具備するものである。
　　
　そうすると、引用発明１において、ガラス管内に侵入した水分を水蒸気として排出するものに代えて、ガラス管内にたまった水（液体）とし、これを排出するようにした点に格別の困難性は、認められず、引用発明１において、本願発明のように、封止部材の少なくとも１つは、前記ガラス管の開口部より下部に温度上昇により膨張した前記ガラス管の内部空間の気体及び前記ガラス管内部にたまった水を外部へ流出させる逆止弁を設けた点は、引用発明２及び周知技術に基づいて、当業者であれば、容易に想到しえたことである。
　　　
　そして、本願発明が奏する作用、効果は、引用発明１及び２、周知技術から当業者が予測することができたものである。
　　
（５）むすび
　以上のとおり、本願発明は、引用発明１及び２及び周知技術に基づいて当業者が容易に発明をすることができたものであるから、特許法第２９条第２項の規定により特許を受けることができない。
　　
　したがって、本願の他の請求項に係る発明について検討するまでもなく、本願は、拒絶すべきものである。
　　
　よって、結論のとおり審決する。